(57)【要約】【課題】本発明は、簡単且つ体積が小さい構成によって、体積の大きい従来のケーブルグランドの防爆効果を達することができ、尚且つ、コストの低減、防爆ランプ同士の連結及びその変化・応用を容易にする防爆ランプ用ケーブルグランドを提供することにある。【解決手段】本発明は、ケーブルを貫設して防爆ランプの接合部に接続する貫通孔に適用する防爆ランプ用ケーブルグランドであって、前記接合部に傍近する一端に設ける第一防爆部材と、前記接合部より離れた一端に設け、前記第一防爆部材と接続する圧迫部材とを包括している。【選択図】図１
2015204251.tif 000002
【特許請求の範囲】
【請求項１】
ケーブルを貫設して防爆ランプの接合部に接続する貫通孔に適用する防爆ランプ用ケーブルグランドであって、
前記接合部に傍近する一端に設ける第一防爆部材と、
前記接合部より離れた一端に設け、前記第一防爆部材と接続する圧迫部材とを包括することを特徴とする防爆ランプ用ケーブルグランド。
【請求項２】
前記防爆ランプの前記接合部と接続する第一アクセサリをさらに包括することを特徴とする請求項１に記載の防爆ランプ用ケーブルグランド。
【請求項３】
前記第一アクセサリは、フランジ（ｆｌａｎｇｅ）であることを特徴とする請求項２に記載の防爆ランプ用ケーブルグランド。
【請求項４】
前記第一防爆部材の両端にそれぞれ設ける二つのパッキンをさらに包括することを特徴とする請求項１に記載の防爆ランプ用ケーブルグランド。
【請求項５】
前記圧迫部材は、ゴム栓であることを特徴とする請求項１に記載の防爆ランプ用ケーブルグランド。
【請求項６】
前記圧迫部材より離れた一端に設ける第二アクセサリをさらに包括することを特徴とする請求項１又は２に記載の防爆ランプ用ケーブルグランド。
【請求項７】
前記第二アクセサリは、ユニオン（ｕｎｉｏｎ）であることを特徴とする請求項６に記載の防爆ランプ用ケーブルグランド。
【請求項８】
前記圧迫部材より離れた一端に設ける第二防爆部材をさらに包括することを特徴とする請求項１に記載の防爆ランプ用ケーブルグランド。
【請求項９】
前記第二防爆部材は、防爆ゴムであることを特徴とする請求項８に記載の防爆ランプ用ケーブルグランド。
【請求項１０】
前記第一防爆部材は、防爆ゴムであって、前記圧迫部材は、金属チューブであることを特徴とする請求項１に記載の防爆ランプ用ケーブルグランド。
【発明の詳細な説明】
【技術分野】
【０００１】
本発明は、特に防爆ランプ同士の連結及びその応用を容易にするための防爆ランプ用ケーブルグランドに関するものである。
【背景技術】
【０００２】
現在、化学プラント、石油化学プラント、油田、炭鉱等の産業拠点において、可燃性、爆発性、酸化性、腐食性等の気体や粉塵、又は化学製品が常時、散布或いは貯蔵しているため、これ等の地点では、防爆性を有さないランプの老朽化或いは故障等により火気が発生して上記の気体や粉塵、又は化学製品が爆発する事故を未然に防ぐように、防爆ランプを使用しなければならない。
【０００３】
従来の防爆ランプは、配線において、その気密性を増加させるため、ケーブルの位置にさらに従来のケーブルグランドを設置し、また、もう一つ又は複数の防爆ランプと接続したい場合、防爆ランプは配線及び設置を行う配線ボックスを別に設けなくてはならない。
【０００４】
そのため、従来の防爆ランプは、配線において、新たにケーブルやケーブルグランド、又は配線ボックスを設けなければならず、ケーブルグランドからすると、従来のケーブルグランドは好ましい防爆効果を達するため、通常、その体積は大きく、ランプの生産コストを上げるだけでなく、防爆ランプの設置の利便性、防爆ランプの応用及びその変化もケーブルグランドの体積によって制限されるため、その改善が急務となっている。
【発明の概要】
【発明が解決しようとする課題】
【０００５】
本発明の主要な目的は、簡単な構成で体積が小さく、且つ防爆ランプ同士の連結及びその応用を容易にするための防爆ランプ用ケーブルグランドを提供することにある。
【課題を解決するための手段】
【０００６】
上述の目的を達成するため、本発明は、ケーブルを貫設して防爆ランプの接合部に接続する貫通孔に適用する防爆ランプ用ケーブルグランドを提供しており、前記接合部に傍近する一端に設ける第一防爆部材と、前記接合部より離れた一端に設け、前記第一防爆部材と接続する圧迫部材とを包括している。
【０００７】
また、本発明は、異なる実施例において、第一アクセサリ、或いは／及び、第二アクセサリをさらに包括しており、前記第一アクセサリは前記防爆ランプの接合部と接続しており、前記第二アクセサリは前記圧迫部材より離れた一端に設けている。
【発明の効果】
【０００８】
以上のことから、本発明の防爆ランプ用ケーブルグランドは、第一に、直接ケーブルを貫設することで、直接使用ができ、且つ優れた防爆効果を備え、第二に、体積が小さいため、防爆ランプ同士の連結及びその変化・応用に容易で、第三に、体積が小さいため、材料が少なく、コストが低減できるという利点がある。
【図面の簡単な説明】
【０００９】
【図１】本発明に係る第一実施例を示す立体分解図である。
【図２】本発明に係る第一実施例を示す立体組立図である。
【図３】本発明に係る第一実施例を示す部分断面模式図である。
【図４】本発明に係る第二実施例を示す立体分解図である。
【図５】本発明に係る第二実施例を示す立体組立図である。
【図６】本発明に係る第二実施例を示す部分断面模式図である。
【図７】本発明に係る第三実施例を示す立体分解図である。
【図８】本発明に係る第三実施例を示す立体組立図である。
【図９】本発明に係る第三実施例を示す部分断面模式図である。
【図１０】本発明に係る第四実施例を示す立体分解図である。
【図１１】本発明に係る連結の態様を示す模式図である。
【図１２】図１１の断面模式図である。
【発明を実施するための形態】
【００１０】
図面を参照しつつ、以下において、本発明の構成をどのように設置、使用するかを詳細に説明することで、本発明の目的、技術内容、特徴及び達成する効果が容易に理解することができる。本発明の詳細な説明に入る前に、まず先に、後述の説明において、同じ素子の異なる態様での実施では、同じ符号で表記しており、且つ本発明の防爆ランプ用ケーブルグランド１は、ケーブルＬを貫設して防爆ランプ２（図１を参照）の接合部２１に接続する貫通孔２２に適用し、前記接合部２１はもう一つの防爆ランプの連結、或いは直接又は間接に壁面に固定するために用いられ、前記貫通孔２２はケーブルＬを前記防爆ランプ２の内部にある電気制御モジュールにルーティングするために用いられている。
【００１１】
図１乃至図３を参照すると、本発明の防爆ランプ用ケーブルグランド１の第一実施例は、第一防爆部材３と、圧迫部材４とを包括しており、前記第一防爆部材３は防爆ゴムを使用し、前記圧迫部材４はアルミ製金属チューブを使用しており、前記第一防爆部材３は前記接合部２１に傍近する一端に設け、前記圧迫部材４は前記接合部２１より離れた一端に設けており、且つ前記第一防爆部材３及び前記圧迫部材４のサイズを前記貫通孔２２に対応することで、前記第一防爆部材３及び前記圧迫部材４は前記防爆ランプ２の貫通孔２２内に圧着して設け、従来のケーブルグランドを使用せずに好ましい気密及び液密の防爆効果を達することができる。また、防爆ランプ用ケーブルグランド１は第一アクセサリ５をさらに有し、前記第一アクセサリ５はフランジ（ｆｌａｎｇｅ）を使用しており、さらにまた、前記第一アクセサリ５は、前記防爆ランプ２の接合部２１にある複数の固定穴２１１と複数の固定部材９によって固定することで、設置を完了して使用することができる。
【００１２】
図４乃至図６を参照すると、本発明の第二実施例と第一実施例との違いは、第一実施例ではアルミ製金属チューブを圧迫部材４に使用しているが、第二実施例では圧迫部材４にゴム栓が使用され、二つのパッキン６がさらに包括しており、これ等のパッキン６は前記第一防爆部材３の両端にそれぞれ設け、前記第一防爆部材３及び前記圧迫部材４と前記防爆ランプ２の貫通孔２２内に圧着して設けており、このことから、第二実施例の防爆ランプ用ケーブルグランド１はさらに優れた防爆効果を有することができるため、防爆ランプ２を可燃性、爆発性の気体を貯蔵した空間に応用することができる。
【００１３】
図７乃至図９を参照すると、本発明の第三実施例において、防爆ランプ用ケーブルグランド１は第二アクセサリ７をさらに包括し、前記第二アクセサリ７はユニオン（ｕｎｉｏｎ）を使用しており、前記第二アクセサリ７は、前記圧迫部材４より離れた一端に設け、さらに前記第二アクセサリ７は、前記防爆ランプ２の貫通孔２２内に設けられた、例えば防爆ゴムの前記第一防爆部材３及び例えばアルミ製金属チューブの前記圧迫部材４と圧着して設け、前記第一アクセサリ５も前記防爆ランプ２の接合部２１と複数の固定部材９によって固定して接続することで、設置を完了しており、このことから、第三実施例の防爆ランプ用ケーブルグランド１は防爆効果を有するだけでなく、作業員がその他の配線経路或いはフレーム等にランプを容易に接続及び応用することができる。
【００１４】
また、本発明は単一の防爆ランプ２の構成に応用するだけでなく、防爆ランプ２と二つの接合部２１を有する防爆ランプ２とを接続して使用することに応用することができ、図１０のように、本発明の第四実施例の防爆ランプ用ケーブルグランド１の構成は第一実施例に比べ、第二防爆部材８をさらに包括しており、前記第二防爆部材８は防爆ゴムを使用し、圧迫部材４より離れた一端に設けられている。なお、第四実施例の圧迫部材４は、接続する際に必要な圧迫度を達するため、比較的長いアルミ製金属チューブを使用する必要がある。このことから、第四実施例の防爆ランプ用ケーブルグランド１の両端はそれぞれ二つの防爆ランプ２の貫通孔２２内（一方の防爆ランプ２の貫通孔２２は図示されていない）に設けられることで、二つの防爆ランプ２は接続し、優れた防爆効果を有することができる。
【００１５】
図１１及び図１２を参照すると、作業員は図示されているように、上述した第一実施例にあるフランジ圧迫式防爆ランプ用ケーブルグランド１、第二実施例にあるボルト式防爆ランプ用ケーブルグランド１、第三実施例にある追加アクセサリ式防爆ランプ用ケーブルグランド１及び第四実施例にある接続式防爆ランプ用ケーブルグランド１を互いに連結することができ、そのうち、第四実施例にある接続式防爆ランプ用ケーブルグランド１によってこれ等の防爆ランプ２を互いに接続し、二つ以上の接合部２１を有するその他の防爆ランプ２はそれぞれ各種防爆ランプ用ケーブルグランド１によって設置及び応用することができる。
【００１６】
以上のことから、本発明は、簡単且つ体積が小さい構成によって、体積の大きい従来のケーブルグランドの防爆効果を達することができ、尚且つ、コストの低減、防爆ランプ同士の連結及びその変化・応用を容易にすることを有している。
【符号の説明】
【００１７】
１        防爆用ケーブルグランド
２        防爆ランプ
２１      接合部
２１１    固定穴
２２      貫通孔
３        第一防爆部材
４        圧迫部材
５        第一アクセサリ
６        パッキン
７        第二アクセサリ
８        第二防爆部材
９        固定部材
Ｌ        ケーブル
【図１】
2015204251.tif 000003
【図２】
2015204251.tif 000004
【図３】
2015204251.tif 000005
【図４】
2015204251.tif 000006
【図５】
2015204251.tif 000007
【図６】
2015204251.tif 000008
【図７】
2015204251.tif 000009
【図８】
2015204251.tif 000010
【図９】
2015204251.tif 000011
【図１０】
2015204251.tif 000012
【図１１】
2015204251.tif 000013
【図１２】
2015204251.tif 000014
【手続補正書】
【提出日】平成27年3月11日(2015.3.11)
【手続補正１】
【補正対象書類名】明細書
【補正対象項目名】００１０
【補正方法】変更
【補正の内容】
【００１０】
図面を参照しつつ、以下において、本発明の構成をどのように設置、使用するかを詳細に説明することで、本発明の目的、技術内容、特徴及び達成する効果が容易に理解することができる。本発明の詳細な説明に入る前に、まず先に、後述の説明において、同じ素子の異なる態様での実施では、同じ符号で表記しており、且つ本発明の防爆ランプ用ケーブルグランド１は、ケーブルＬを防爆ランプ２（図１を参照）の接合部２１にある貫通孔２２に貫設して組み合わせるために用い、前記接合部２１はもう一つの防爆ランプの連結、或いは直接又は間接に壁面に固定するために用いられ、前記貫通孔２２はケーブルＬを前記防爆ランプ２の内部にある電気制御モジュールにルーティングするために用いられている。
【手続補正２】
【補正対象書類名】明細書
【補正対象項目名】００１１
【補正方法】変更
【補正の内容】
【００１１】
図１乃至図３を参照すると、本発明の防爆ランプ用ケーブルグランド１の第一実施例は、第一防爆部材３と、圧迫部材４とを包括しており、前記第一防爆部材３は防爆ゴムを使用し、前記圧迫部材４はアルミ製金属チューブを使用し、前記貫通孔２２内に設けて前記ケーブルＬを貫通させており、前記第一防爆部材３は前記接合部２１より離れて前記貫通孔２２内に設け、前記接合部２１と接続して前記ケーブルＬを貫通させており、且つ前記第一防爆部材３及び前記圧迫部材４のサイズを前記貫通孔２２に対応することで、前記第一防爆部材３及び前記圧迫部材４は前記防爆ランプ２の貫通孔２２内に圧着して設け、従来のケーブルグランドを使用せずに好ましい気密及び液密の防爆効果を達することができる。また、防爆ランプ用ケーブルグランド１は第一アクセサリ５をさらに有し、前記第一アクセサリ５はフランジ（ｆｌａｎｇｅ）を使用しており、さらにまた、前記第一アクセサリ５は、前記防爆ランプ２の接合部２１にある複数の固定穴２１１と複数の固定部材９によって固定することで、設置を完了して使用することができる。また、前記第一アクセサリ５は、貫通口５１及び前記貫通口５１内に繞設する位置限定凸部５２を包括し、さらに、前記位置限定凸部５２は前記貫通口５１を、第一直径を有する第一部分５１１と前記第一直径より小さい第二直径を有する第二部分５１２とに区分している。
【手続補正３】
【補正対象書類名】明細書
【補正対象項目名】００１３
【補正方法】変更
【補正の内容】
【００１３】
図７乃至図９を参照すると、本発明の第三実施例において、防爆ランプ用ケーブルグランド１は第二アクセサリ７をさらに包括し、前記第二アクセサリ７はユニオン（ｕｎｉｏｎ）を使用しており、前記第二アクセサリ７は、前記貫通口５１を貫設して前記ケーブルＬを貫通させる貫通部７１と、前記第一部分５１１内に設置して前記貫通部７１と接続し、前記位置限定凸部５２及び前記接合部２１の挟持を受けることで、前記貫通部７１の変位を制限する凸縁部７２とを包括し、さらに前記第二アクセサリ７は、前記防爆ランプ２の貫通孔２２内に設けられた、例えば防爆ゴムの前記第一防爆部材３及び例えばアルミ製金属チューブの前記圧迫部材４と圧着して設け、前記第一アクセサリ５も前記防爆ランプ２の接合部２１と複数の固定部材９によって固定して接続することで、設置を完了しており、このことから、第三実施例の防爆ランプ用ケーブルグランド１は防爆効果を有するだけでなく、作業員がその他の配線経路或いはフレーム等にランプを容易に接続及び応用することができる。
【手続補正４】
【補正対象書類名】特許請求の範囲
【補正対象項目名】全文
【補正方法】変更
【補正の内容】
【特許請求の範囲】
【請求項１】
ケーブルを防爆ランプの接合部にある貫通孔に貫設して組み合わせるために用いる防爆ランプ用ケーブルグランドであって、
前記貫通孔内に設けてケーブルを貫通させる圧迫部材と、
前記接合部より離れて前記貫通孔内に設け、前記接合部と接続して前記ケーブルを貫通させる第一防爆部材と、
前記接合部と接続し、貫通口及び前記貫通口内に繞設する位置限定凸部を包括し、さらに、前記位置限定凸部は前記貫通口を、第一直径を有する第一部分と前記第一直径より小さい第二直径を有する第二部分とに区分する第一アクセサリと、
前記貫通口を貫設してケーブルを貫通させる貫通部と、前記第一部分内に設置して前記貫通部と接続し、前記位置限定凸部及び前記接合部の挟持を受けることで、前記貫通部の変位を制限する凸縁部とを包括する第二アクセサリとを包括することを特徴とする防爆ランプ用ケーブルグランド。
【請求項２】
前記第一アクセサリは、フランジ（ｆｌａｎｇｅ）であることを特徴とする請求項１に記載の防爆ランプ用ケーブルグランド。
【請求項３】
前記第一防爆部材の両端にそれぞれ設ける二つのパッキンをさらに包括することを特徴とする請求項１に記載の防爆ランプ用ケーブルグランド。
【請求項４】
前記圧迫部材は、ゴム栓であることを特徴とする請求項３に記載の防爆ランプ用ケーブルグランド。
【請求項５】
前記第二アクセサリは、ユニオン（ｕｎｉｏｎ）であることを特徴とする請求項１に記載の防爆ランプ用ケーブルグランド。
【請求項６】
前記圧迫部材より離れた一端に設ける第二防爆部材をさらに包括することを特徴とする請求項１に記載の防爆ランプ用ケーブルグランド。
【請求項７】
前記第二防爆部材は、防爆ゴムであることを特徴とする請求項６に記載の防爆ランプ用ケーブルグランド。
【請求項８】
前記第一防爆部材は、防爆ゴムであって、前記圧迫部材は、金属チューブであることを特徴とする請求項１に記載の防爆ランプ用ケーブルグランド。
【手続補正５】
【補正対象書類名】図面
【補正対象項目名】図７
【補正方法】変更
【補正の内容】
【図７】
2015204251.tif 000015
【手続補正６】
【補正対象書類名】図面
【補正対象項目名】図９
【補正方法】変更
【補正の内容】
【図９】
2015204251.tif 000016
【手続補正書】
【提出日】平成27年7月30日(2015.7.30)
【手続補正１】
【補正対象書類名】特許請求の範囲
【補正対象項目名】全文
【補正方法】変更
【補正の内容】
【特許請求の範囲】
【請求項１】
ケーブルを防爆ランプの接合部にある貫通孔に貫設して組み合わせるために用いる防爆ランプ用ケーブルグランドであって、
前記貫通孔内に設けてケーブルを貫通させる圧迫部材と、
前記接合部より離れて前記貫通孔内に設け、前記圧迫部材と接続して前記ケーブルを貫通させる第一防爆部材と、
前記接合部と接続し、貫通口及び前記貫通口内に繞設する位置限定凸部を包括し、さらに、前記位置限定凸部は前記貫通口を、第一直径を有する第一部分と前記第一直径より小さい第二直径を有する第二部分とに区分する第一アクセサリと、
前記貫通口を貫設してケーブルを貫通させる貫通部と、前記第一部分内に設置して前記貫通部と接続し、前記位置限定凸部及び前記接合部の挟持を受けることで、前記貫通部の変位を制限する凸縁部とを包括する第二アクセサリとを包括することを特徴とする防爆ランプ用ケーブルグランド。
【請求項２】
前記第一アクセサリは、フランジ（ｆｌａｎｇｅ）であることを特徴とする請求項１に記載の防爆ランプ用ケーブルグランド。
【請求項３】
前記第一防爆部材の両端にそれぞれ設ける二つのパッキンをさらに包括することを特徴とする請求項１に記載の防爆ランプ用ケーブルグランド。
【請求項４】
前記圧迫部材は、ゴム栓であることを特徴とする請求項３に記載の防爆ランプ用ケーブルグランド。
【請求項５】
前記第二アクセサリは、ユニオン（ｕｎｉｏｎ）であることを特徴とする請求項１に記載の防爆ランプ用ケーブルグランド。
【請求項６】
前記圧迫部材より離れた一端に設ける第二防爆部材をさらに包括することを特徴とする請求項１に記載の防爆ランプ用ケーブルグランド。
【請求項７】
前記第二防爆部材は、防爆ゴムであることを特徴とする請求項６に記載の防爆ランプ用ケーブルグランド。
【請求項８】
前記第一防爆部材は、防爆ゴムであって、前記圧迫部材は、金属チューブであることを特徴とする請求項１に記載の防爆ランプ用ケーブルグランド。